(57)【要約】      （修正有）【課題】開放状態のマンホールにふたをするマンホールの落下防止板を提供する。【解決手段】基板Ａ、防火水槽用上板、消火栓用上板の３枚の板で構成し、基板Ａは、円形の板の中央部に穴２を設け、その穴２から外周に向かい管通し３を設け、管通し３の外周側に切り取り部４を設け、円形の板の外周部に、均等にチェーンよけを設ける。防火水槽用上板は、角型の板の左右に二箇所取っ手を設け、中心からやや下方に、円形の管通しを設け、防火水槽用上板の裏側中央には、ラクビーボール形状のガイド部を設ける。消火栓用上板は、角型の板の斜め上方２カ所に取っ手を設け、中心からやや外れた位置に楕円の穴を設け、この穴の位置は、底辺を除く各辺から距離を変えて設け、この穴から底辺に向かい管通し３を設け、この底辺に一部切り欠き部を設ける。【選択図】図１
2010275848.tif 000002
【特許請求の範囲】
【請求項１】
（イ）基板（Ａ）、防火水槽用上板（Ｂ）、消火栓用上板（Ｃ）の３枚の板で構成するものである。
（ロ）基板（Ａ）は、円形の板の中央部に穴（２）を設け、その穴（２）から外周に向かい管通し（３）を設け、管通し（３）の外周側に切り取り部（４）を設け、円形の板の外周部に、均等にチェーンよけ（１）を設ける。
（ハ）防火水槽用上板（Ｂ）は、角型の板の左右に二箇所取っ手（５）を設け、中心からやや下方に、円形の管通し（３）を設け、防火水槽用上板（Ｂ）の裏側中央には、ラクビーボール形状のガイド部（６）を設ける。
（ニ）消火栓用上板（Ｃ）は、角型の板の斜め上方２カ所に取っ手（５）を設け、中心からやや外れた位置に楕円の穴（７）を設け、この穴（７）の位置は、底辺を除く各辺から距離を変えて設け、この穴（７）から底辺に向かい管通し（３）を設け、この底辺に一部切り欠き部（８）を設ける。
以上のように構成されたマンホールの落下防止板。
【発明の詳細な説明】
【技術分野】
【０００１】  本発明は、基板、防火水槽用上板、消火栓用上板の３枚の板で構成したもので、開放状態のマンホールにふたをするマンホールの落下防止板に関するものである。
【背景技術】
【０００２】  従来、開放状態のマンホール内には、落下防止のため、落下防止具が取り付けられていることが知られている。
たとえば、マンホールの蓋を開けたときの転落を防止し、また貯水槽等内を昇降するとき、特にマンホール内に出入りする際に、その開口部において安全なマンホール用転落防止具付梯子及びマンホールが提案されていた。（特許文献１参照）
梯子機能を有するマンホール用転落防止具が提案されている。（特許文献２参照）
【先行技術文献】
【０００３】
【特許文献１】  特開平１０−１５９１１６号公報
【特許文献２】  登録実用新案第３０７８４６０号公報
【発明の概要】
【発明が解決しようとする課題】
【０００４】  次のような問題点があった。
開放状態のマンホール内に誤って落ち死傷事故が発生していた。
本発明は、以上の問題点を解決するためになされたものである。
【課題を解決するための手段】
【０００５】（イ）基板（Ａ）、防火水槽用上板（Ｂ）、消火栓用上板（Ｃ）の３枚の板で構成するものである。
（ロ）基板（Ａ）は、円形の板の中央部に穴（２）を設け、その穴（２）から外周に向かい管通し（３）を設け、管通し（３）の外周側に切り取り部（４）を設け、円形の板の外周部に、均等にチェーンよけ（１）を設ける。
（ハ）防火水槽用上板（Ｂ）は、角型の板の左右に二箇所取っ手（５）を設け、中心からやや下方に、円形の管通し（３）を設け、防火水槽用上板（Ｂ）の裏側中央には、ラクビーボール形状のガイド部（６）を設ける。
（ニ）消火栓用上板（Ｃ）は、角型の板の斜め上方２カ所に取っ手（５）を設け、中心からやや外れた位置に楕円の穴（７）を設け、この穴（７）の位置は、底辺を除く各辺から距離を変えて設け、この穴（７）から底辺に向かい管通し（３）を設け、この底辺に一部切り欠き部（８）を設ける。
以上の構成よりなるマンホールの落下防止板である。
【発明の効果】
【０００６】防火水槽の開放状態のマンホールに、基板と防火水槽用上板を組み合わせてふたをする。
組み合わせた防火水槽用上板を開けることで、防火水槽内を容易に確認できる。
消火栓の開放状態のマンホールに、基板と消火栓用上板を組み合わせてふたをする。
ふたをした後でも、消火栓のバルプ操作が行える。
上記の方法でマンホールにふたをすることで安全である。
【図面の簡単な説明】
【０００７】
【図１】  本発明の、基板の斜視図
【図２】  本発明の、防火水槽用上板の表面斜視図
【図３】  本発明の、防火水槽用上板の裏面斜視図
【図４】  本発明の、消火栓用上板の斜視図
【図５】  本発明の、防火水槽の使用例斜視図
【図６】  本発明の、消火栓の使用例斜視図
【発明を実施するための形態】
【０００８】  以下、本発明の実施の形態について説明する。
（イ）基板（Ａ）、防火水槽用上板（Ｂ）、消火栓用上板（Ｃ）の３枚の板で構成するものである。
（ロ）基板（Ａ）は、円形の板の中央部に穴（２）を設け、その穴（２）から外周に向かい管通し（３）を設け、管通し（３）の外周側に切り取り部（４）を設け、円形の板の外周部に、均等にチェーンよけ（１）を設ける。
（ハ）防火水槽用上板（Ｂ）は、角型の板の左右に二箇所取っ手（５）を設け、中心からやや下方に、円形の管通し（３）を設け、防火水槽用上板（Ｂ）の裏側中央には、ラクビーボール形状のガイド部（６）を設ける。
（ニ）消火栓用上板（Ｃ）は、角型の板の斜め上方２カ所に取っ手（５）を設け、中心からやや外れた位置に楕円の穴（７）を設け、この穴（７）の位置は、底辺を除く各辺から距離を変えて設け、この穴（７）から底辺に向かい管通し（３）を設け、この底辺に一部切り欠き部（８）を設ける。
以上の構成よりなるマンホールの落下防止板である。
次に使い方を説明する。
基板（Ａ）と防火水槽用上板（Ｂ）を組み合わせて使用する。
基板（Ａ）と消火栓用上板（Ｃ）を組み合わせて使用する。
消火栓用上板（Ｃ）のみで使用する。
地下式丸型防火水槽のマンホールに使用時は、マンホールのふたを開け、ポンプ車の吸水管を防火水槽内に投入後、基板の管通し（３）を通過させ、マンホールの中心に穴（２）を合わせ、丸ふた底部に取り付けられているチェーンを、基板のチェーンよけ（１）に合わせ、マンホール上に設置する。
次に基板の穴（２）に、防火水槽用上板の取っ手（５）を持ち、ガイド部（６）を合わせて置く。
防火水槽内に転落防止（井形形状の鉄の棒）が設置されている場合と、ない場合とでは、マンホールに対して吸水管の位置が変わるので、防火水槽用上板をスライドして隙間をなくす。
基板を立てて収納するには、切り取り部（４）を下に向けて収納する。
地下式丸型消火栓のマンホールに使用時は、マンホールのふたを開け、消火栓に吸水管及び消火栓ハンドルを接続した後、基板の管通し（３）を通過させ、消火栓のマンホール上に設置する。
次に基板上に、消火栓用上板の取っ手（５）を持ち、楕円の穴（７）に、吸水管及び消火栓ハンドルが位置するように移動させ、基板と消火栓用上板にて、マンホールの隙間をなくすように置く。
地下式角型消火栓のマンホールに使用時は、マンホールのふたを開け、消火栓に吸水管及び消火栓ハンドルを接続した後、消火栓用上板の取っ手（５）を持ち、管通し（３）を通過させ、楕円の穴（７）に合わせ、消火栓のマンホール上に直接設置する。
【符号の説明】
【０００９】      Ａ  基板
Ｂ  防火水槽用上板
Ｃ  消火栓用上板
１  チェーンよけ
２  穴
３  管通し
４  切り取り部
５  取って手
６  ガイド部
７  楕円の穴
８  切り欠き部
【図１】
2010275848.tif 000003
【図２】
2010275848.tif 000004
【図３】
2010275848.tif 000005
【図４】
2010275848.tif 000006
【図５】
2010275848.tif 000007
【図６】
2010275848.tif 000008